(57)【特許請求の範囲】
【請求項１】
撮影光学系を介して被写体の像を撮像して画像データ生成用の第１信号を出力する複数の第１画素を備えた第１画素行と、瞳分割位相差方式により前記撮影光学系の焦点調節状態を検出するための第２信号を出力する複数の第２画素を備えた第２画素行とを備える撮像素子と、
前記撮像素子から複数の画素行同士の信号を混合して出力する画素混合出力、または複数の画素行を間引いて出力する間引き出力を行う場合において、前記第２画素行および当該第２画素行から所定範囲内に配置された複数の前記第１画素行に関しては前記画素混合出力および前記間引き出力を禁止して前記所定範囲内に配置されたすべての行の信号を出力し、前記所定範囲外に配置された複数の前記第１画素行に関しては該画素混合出力および該間引き出力を行うように、前記撮像素子からの出力動作を制御する出力制御手段と、を備えることを特徴とするデジタルカメラ。
【請求項２】
請求項１に記載のデジタルカメラにおいて、
前記画像データ生成用の前記第１信号を記録媒体に記録する際の記録画素数に関する設定情報を受け付ける受付手段と、
前記設定情報の前記記録画素数が少ないほど、前記所定範囲の大きさを大きく制御する範囲変更手段と、をさらに備えることを特徴とするデジタルカメラ。
【請求項３】
請求項１または２に記載のデジタルカメラにおいて、
前記第２画素行内の前記第２画素に対応する前記画像データ生成用の第３信号を、前記所定範囲内に配置された前記複数の第１画素行から出力された前記第１信号を用いて補間処理により生成する補間手段をさらに備えることを特徴とするデジタルカメラ。
【請求項４】
請求項３に記載のデジタルカメラにおいて、
前記補間手段は、前記所定範囲内の画素行に含まれる前記第１画素から出力された前記第１信号と、前記第２画素から出力された前記第２信号とを用いて、前記第３信号を生成することを特徴とするデジタルカメラ。
【請求項５】
請求項３乃至４のいずれか一項に記載のデジタルカメラにおいて、
前記補間手段は、前記所定範囲内の前記第１画素から出力された第１信号に基づいて前記被写体の像の特徴を抽出し、抽出された前記像の特徴に基づいて、前記第３信号の生成に用いる前記第１信号を、前記所定範囲内の複数の前記第１画素の中から決定することを特徴とするデジタルカメラ。
【発明の詳細な説明】
【技術分野】
【０００１】
本発明は、デジタルカメラに関する。
【背景技術】
【０００２】
従来から、撮像素子の画素配列中に部分的に所定のカラーフィルタが設けられた焦点検出用画素を組み込み、専用の焦点検出センサを用いることなく、瞳分割位相差方式により焦点検出を行う電子カメラが知られている（たとえば特許文献１）。
【先行技術文献】
【特許文献】
【０００３】
【特許文献１】特開２００９−８９１４４号公報
【発明の概要】
【発明が解決しようとする課題】
【０００４】
しかしながら、被写体色によらず焦点検出が可能とするために焦点検出用画素に広い可視光域の分光フィルタ（クリアフィルタ）を設けた場合、撮影用画像の取得時に、焦点検出用画素が配置された領域の色情報を取得できないという問題がある。
【課題を解決するための手段】
【０００５】
請求項１に記載の発明によるデジタルカメラは、撮影光学系を介して被写体の像を撮像して画像データ生成用の第１信号を出力する複数の第１画素を備えた第１画素行と、瞳分割位相差方式により撮影光学系の焦点調節状態を検出するための第２信号を出力する複数の第２画素を備えた第２画素行とを備える撮像素子と、撮像素子から複数の画素行同士の信号を混合して出力する画素混合出力、または複数の画素行を間引いて出力する間引き出力を行う場合において、第２画素行および第２画素行から所定範囲内に配置された複数の第１画素行に関しては画素混合出力および間引き出力を禁止して所定範囲内に配置されたすべての行の信号を出力し、所定範囲外に配置された複数の第１画素行に関しては画素混合出力および間引き出力を行うように、撮像素子からの出力動作を制御する出力制御手段とを備えることを特徴とする。
【発明の効果】
【０００６】
本発明によれば、画素混合出力または出力する間引き出力を行う場合に、撮像素子の出力動作を制御して、第２画素行および第２画素行から所定範囲内に配置された複数の第１画素行に関しては画素混合出力および間引き出力を禁止させるので、焦点検出精度を維持しつつ撮影用画像の画質劣化を防ぐことができる。
【図面の簡単な説明】
【０００７】
【図１】本発明の実施の形態によるデジタルカメラの要部構成を説明するブロック図
【図２】実施の形態によるデジタルカメラの撮像素子の一例を説明する図
【図３】撮像素子から出力される画像信号の一例を説明する図
【図４】第１の実施の形態における補間処理について説明する図
【図５】第２の実施の形態における補間処理について説明する図
【図６】第２の実施の形態における補間処理について説明する図
【図７】第３の実施の形態における補間処理について説明する図
【図８】第３の実施の形態における補間処理について説明する図
【図９】変形例における補間処理について説明する図
【発明を実施するための形態】
【０００８】
−第１の実施の形態−
図面を参照して、本発明による第１の実施の形態におけるカメラを説明する。図１はデジタルカメラ１の要部構成を示すブロック図である。デジタルカメラ１は、撮影レンズＬ１、撮像素子１０１、制御回路１０２、ＬＣＤ駆動回路１０３、液晶表示器１０４、操作部１０６、メモリカードインタフェース１０７およびレンズ駆動回路１１０を備えている。撮影レンズＬ１は、結像レンズや焦点調節レンズ等の種々の光学レンズ群を含んで構成される。なお、図１では撮影レンズＬ１を１枚のレンズで代表して表している。
【０００９】
撮像素子１０１は、撮像面上において行列状に多数配列された画素を有する光電変換素子や画素の駆動を制御する各種の回路により構成される。撮像素子１０１は、後述する制御回路１０２の制御に応じて駆動して、撮影レンズＬ１を通して入力される被写体像を撮像し、撮像して得た撮像信号を出力する。撮像素子１０１は、複数の撮影用画素１２１（図２）と、撮影レンズＬ１の撮影画面内に設定された複数の焦点検出位置に対応して設けられた、複数の対の焦点検出用画素１２２（図２）とを含んで構成される。そのため、撮像信号には、後述するように撮影用画素１２１から出力された第１画像信号と、焦点検出用画素１２２から出力された、対の光像に応じた焦点検出信号とが含まれる。なお、撮像素子１０１については、説明を後述する。
【００１０】
制御回路１０２は、図示しないＣＰＵ、ＲＯＭ、ＲＡＭなどを有し、制御プログラムに基づいて、デジタルカメラ１の各構成要素を制御したり、各種のデータ処理を実行する演算回路である。制御プログラムは、制御回路１０２内の不図示の不揮発性メモリに格納されている。制御回路１０２は、焦点検出信号分離部１０２ａ、焦点検出部１０２ｂ、画素補間部１０２ｃ、ライン選択部１０２ｄ、画像処理部１０２ｅ、画像圧縮部１０２ｆおよび読出制御部１０２ｇを機能的に備える。
【００１１】
焦点検出信号分離部１０２ａは、撮像素子１０１から入力した撮像信号のうち、焦点検出用画素１２２から出力された焦点検出信号のみを抽出する。そして、焦点検出信号分離部１０２ａは、焦点検出信号を撮影用画素１２１から出力された画像信号から分離して焦点検出部１０２ｂへ出力する。焦点検出部１０２ｂは、公知の瞳分割位相差式焦点検出（像面位相差式焦点検出）を行う。焦点検出部１０２ｂは、入力した対の光像に応じた焦点検出信号を用いて、撮影レンズＬ１の焦点調節状態を検出、すなわちデフォーカス量を算出する。焦点検出部１０２ｂは、算出したデフォーカス量に基づいて、撮影レンズＬ１に含まれる焦点調節レンズの合焦位置を検出して、焦点調節レンズの駆動量を算出する。焦点検出部１０２ｂは、算出した駆動量に応じて焦点調節レンズを駆動させるための駆動指示信号を後述するレンズ駆動回路１１０へ出力して、焦点調節レンズの合焦位置への駆動を制御させる。
【００１２】
画素補間部１０２ｃおよびライン選択部１０２ｄは、撮像素子１０１から入力した撮像信号のうち、撮影用画素１２１から出力された第１画像信号を用いて、第２画像信号を生成する。読出制御部１０２ｇは、撮像素子１０１を制御して、画像信号を読み出す画素行を指定する。なお、画素補間部１０２ｃ、ライン選択部１０２ｄおよび読出制御部１０２ｇの詳細については、説明を後述する。
【００１３】
画像処理部１０２ｅは、ライン選択部１０２ｄから入力した第２画像信号に対して、たとえばホワイトバランス調整やガンマ補正等の種々の画像処理を施して画像データを生成する。また、画像処理部１０２ｅは、メモリカード１０８に記録されている画像データに基づいて、後述する液晶表示器１０４に表示するための表示画像データを生成する。画像圧縮部１０２ｆは、画像処理部１０２ｅにより生成された画像データに対してＪＰＥＧなどの所定の方式により圧縮処理を行い、ＥＸＩＦなどの形式でメモリカード１０８へ記録する。
【００１４】
ＬＣＤ駆動回路１０３は、制御回路１０２の命令に基づいて液晶表示器１０４を駆動する回路である。液晶表示器１０４はアスペクト比が、たとえば縦３：横４の液晶表示パネルである。液晶表示器１０４は、撮像素子１０１で撮像した画像をリアルタイムに表示するライブビュー表示とともに、メモリカード１０８に記録されている画像データに基づいて画像処理部１０２ｅで作成された表示画像データに対応する画像の表示を行う。液晶表示器１４には、デジタルカメラ１の各種動作を設定するためのメニュー画面が表示される。
【００１５】
操作部１０６はユーザによって操作される種々の操作部材に対応して設けられた種々のスイッチを含み、操作部材の操作に応じた操作信号を制御回路１０２へ出力する。操作部材は、たとえばレリーズボタンや、液晶表示器１０４にメニュー画面を表示させるためのメニューボタンや、各種の設定等を選択操作する時に操作される十字キー、十字キーにより選択された設定等を決定するための決定ボタン、撮影モードと再生モードとの間でデジタルカメラ１の動作を切替えるモード切替ボタン等を含む。また、操作部１０６により、撮像モードとして静止画撮影モードや動画撮影モード、上記ライブビュー表示を行うためのライブビューモードの設定が可能である。
【００１６】
メモリカードインタフェース１０７は、メモリカード１０８が着脱可能なインタフェースである。メモリカードインタフェース１０７は、制御回路１０２の制御に基づいて、画像ファイルをメモリカード１０８に書き込んだり、メモリカード１０８に記録されている画像ファイルを読み出すインタフェース回路である。メモリカード１０８はコンパクトフラッシュ（登録商標）やＳＤカードなどの半導体メモリカードである。
【００１７】
レンズ制御回路１１０は、焦点調節レンズの光軸方向への駆動を制御する。焦点検出部１０２ｂから入力した駆動指示信号に応じて、たとえばパルスモータ等により構成される不図示のレンズ駆動部に対して駆動制御信号（パルス信号）を出力して、焦点調節レンズを合焦位置に駆動させる。
【００１８】
図２を参照しながら、撮像素子１０１、撮影用画素１２１および焦点検出用画素１２２について詳細に説明する。なお、図２は、撮影用画素１２１および焦点検出用画素１２２の撮像面の画素配列を表す平面図である。図２（ａ）は、撮像素子１０１の撮像面上において、二次元状に配列された複数の撮影用画素１２１と、撮像素子１０１の撮像面上の一部に組み込まれ、画素行方向に延在して配列された焦点検出用画素１２２との配置を示す。なお、図２（ａ）では、説明の都合上、焦点検出用画素１２２にドットを付して表す。図２（ｂ）は、図２（ａ）にて破線で囲まれた領域Ｘに含まれる撮影用画素１２１および焦点検出用画素１２２を拡大して示す図である。
【００１９】
図２（ｂ）に示すように、それぞれの撮影用画素１２１は、ＣＣＤやＣＭＯＳ等の光電変換部１２１ａとマイクロレンズ１２１ｂとを備えている。光電変換部１２１ａは、マイクロレンズ１２１ｂを介して被写体像を撮像し、撮像して得た第１画像信号を制御回路１０２へ出力する。撮影用画素１２１には、それぞれＲ（赤）、Ｇ（緑）およびＢ（青）のカラーフィルタが、いわゆるベイヤー配列となるように設けられている。画素位置に対応するように設けられている。その結果、撮影用画素１２１から出力される第１画像信号には、Ｒ，Ｇ，Ｂの色情報が含まれる。
【００２０】
領域Ｘには、一対の焦点検出用画素１２２Ａと１２２Ｂとが含まれる。焦点検出用画素１２２Ａと１２２Ｂとは、それぞれＣＣＤ等の光電変換部１２２Ａａおよび１２２Ｂａと、マイクロレンズ１２２Ａｂおよび１２２Ｂｂとを備える。光電変換部１２２Ａａはマイクロレンズ１２２Ａｂの垂直二等分線に左辺を隣接する長方形状を有する。光電変換部１２２Ｂａはマイクロレンズ１２２Ｂｂの垂直二等分線に右辺を隣接する長方形状を有する。撮像素子１０１上で焦点検出画素１２２が配置された画素行では、焦点検出用画素１２２Ａと１２２Ｂとが水平方向（画素行方向、すなわち光電変換部１２２Ａａおよび１２２Ｂａの並び方向）に交互に配置される。なお、光電変換部１２２Ａａ、１２２Ｂａは長方形状であるものに限定されず、たとえば台形や半円形であってもよい。また、その形状の形成においては、光電変換部の直上に配置された遮光マスクの開口部形状として成してもよい。
【００２１】
上記のように焦点検出用画素１２２Ａと１２２Ｂとが画素行方向に交互に配置されるので、一対の焦点検出用画素１２２は、被写体光束を受光して対の光像に応じた焦点検出信号を制御回路１０２に出力する。なお、焦点検出用画素１２２は、Ｒ，Ｇ，Ｂのカラーフィルタを備えず、広い可視光域の分光フィルタ（クリアフィルタ）を備える。そのため、焦点検出用画素１２２から出力される焦点検出信号には色情報が含まれず、輝度情報が含まれることになる。また、焦点検出用画素１２２はカラーフィルタを備えていないので、高感度で被写体光束を受光することができる。
【００２２】
撮像素子１０１は、ユーザにより設定された撮影モード、すなわち静止画撮影モードが設定された場合と動画撮影モードが設定された場合とに応じて、読出制御部１０２ｇによって制御され、撮影用画素１２１が第１画像信号を出力するための出力モードを切り替える。静止画撮影モードが設定された場合には、撮像素子１０１は、読出制御部１０２ｇの制御に応じて、全ての撮影用画素１２１から出力された第１画像信号を、制御回路１０２へ出力する（第１出力モード）。
【００２３】
動画撮影モードが設定された場合には、撮像素子１０１は、読出制御部１０２ｇにより制御されて、撮像素子上の後述する所定領域（ＹまたはＲｅ１）以外の画素行に含まれる撮影用画素１２１については、撮影用画素１２１から出力された第１画像信号を２画素行について加算平均（いわゆる画素混合読み出し）してから、制御回路１２２へ出力する。なお、撮像素子１０１は、所定領域以外の画素行に含まれる撮影用画素１２１については、所定の画素行間隔（たとえば１行おき）で第１画像信号を出力する、いわゆる間引き読み出しを行うものでもよい。さらに、撮像素子１０１は、読出制御部１０２ｇの制御に応じて、所定領域内の全ての撮影用画素１２１から出力された第１画像信号を制御回路１０２へ出力する。（第２出力モード）。すなわち、読出制御部１０２ｇは、所定領域内の撮影用画素１２１については、画素混合読み出しや間引き読み出しを禁止させる。
【００２４】
なお、上記の所定領域は、焦点検出用画素１２２が配列された画素行と、焦点検出用画素１２２が配列された画素行の近傍に設けられた、撮影用画素１２１が配列された複数の画素行とを含む。本発明においては、第２出力モードにより撮像素子１０１から第１画像信号が出力された場合の処理に特徴を有するので、以下の説明では、第２出力モードで出力された第１画像信号に対する処理を中心に行う。
【００２５】
図３（ａ）に撮影用画素１２１および焦点検出用画素１２２から出力された信号を示す。図３（ａ）は、全ての撮影用画素１２１および焦点検出用画素１２２からの出力のうち、図２（ａ）の破線で囲まれた領域Ｙに含まれる撮影用画素１２１および焦点検出用画素１２２からの出力を代表して表すものである。また、図３（ａ）において、撮影用画素１２１の出力は、それぞれの撮影用画素１２１に設けられたカラーフィルタの色に応じてＲ，Ｇ，Ｂとして表し、焦点検出用画素１２２Ａおよび１２２Ｂから出力された信号をそれぞれＳ１およびＳ２として表す。さらに、図３において、一点差線で囲んだ領域Ｒｅ１は、上述した所定領域Ｙを表す。所定領域Ｒｅ１は、焦点検出用画素１２２が配列された画素行と、焦点検出用画素１２２が配列された画素行の近傍に設けられた、撮影用画素１２１が配列された複数の画素行とを含む。また、図３では、各画素行をＬ（ｎ）（ｎは整数）として表し、所定領域Ｒｅ１は画素行Ｌ（−２）〜Ｌ（３）に配列された画素（撮影用画素１２１、焦点検出用画素１２２）からの出力を表し、画素行Ｌ（０）には焦点検出用画素１２２からの焦点検出信号を表す。そして、図３（ａ）と図３（ｂ）における実線矢印は、後述するように出力が加算平均されたことを示し、破線矢印は出力が加算平均されていないことを示す。
【００２６】
第２出力モードが設定された場合、撮像素子１０１は、所定領域Ｒｅ１に含まれない画素行については、各画素列において同一の色情報を出力する撮影用画素１２１を含む２つの画素行に対して加算平均（同色ライン加算）を行う。図３（ａ）に示すように、撮像素子１０１は、画素行Ｌ（−１０）に含まれる撮影用画素１２１の出力と画素行Ｌ（−８）に含まれる撮影用画素１２１との出力とを加算平均する。撮像素子１０１は、同様の加算平均を画素行Ｌ（−９）と画素行Ｌ（−７）、画素行Ｌ（−６）と画素行Ｌ（−４）、画素行Ｌ（−５）と画素行Ｌ（−３）、画素行Ｌ（３）と画素行Ｌ（５）、画素行Ｌ（６）と画素行Ｌ（８）、画素行Ｌ（７）と画素行Ｌ（９）についても行う。その結果、図３（ｂ）に示すような第１画像信号が撮像素子１０１から出力される。なお、撮像素子１０１は、画素行Ｌ（４）に含まれる撮影用画素１２１からの出力を、画素行Ｌ（３）に対応する第１画像信号として出力する。これは、便宜上、図３（ｃ）で示されるような配列を形成するためである。
【００２７】
図３（ｂ）に示すように、所定領域Ｒｅ１以外（画素行Ｌ（−１０）〜画素行Ｌ（−３）、画素行Ｌ（４）〜画素行Ｌ（９））では、加算平均によって、全ての撮影用画素１２１から第１画像信号を出力した場合と比べて、第１画像信号を構成する画素行の数が１／２になる。すなわち、画素行Ｌ（−９）、画素行Ｌ（−８）、画素行Ｌ（−５）、画素行Ｌ（−４）、画素行Ｌ（４）、画素行Ｌ（７）および画素行Ｌ（８）に対応する第１画像信号が撮像素子１０１により出力される。
【００２８】
また、撮像素子１０１が上述したように同色ライン加算をしていることにより、画素行Ｌ（−９）および画素行Ｌ（−８）の第１画像信号と、画素行Ｌ（−５）および画素行Ｌ（−４）の第１画像信号と、画素行Ｌ（７）および画素行Ｌ（８）の第１画像信号とについては、それぞれベイヤー配列となる。さらに、図３（ｂ）に示すように、所定領域Ｒｅ１内については、撮像素子１０１は、画素行Ｌ（−２）〜画素行Ｌ（２）および画素行Ｌ（４）に含まれる撮影用画素１２１からの出力を、第１画像信号として出力する。すなわち、所定領域Ｒｅ１に含まれる略全ての撮影用画素１２１から第１画像信号が出力される。なお、撮像素子１０１は、上述のようにして出力された第１画像信号と、画素行Ｌ（０）に配列された焦点検出用画素１２２から出力された焦点検出信号Ｓ１、Ｓ２とを合わせて、撮像信号として制御回路１０２に出力する。
【００２９】
制御回路１０２は、第２出力モードにより上述のようにして出力された第１画像信号を用いて、第２画像信号を生成する。画素補間部１０２ｃは、焦点検出用画素１２２が配列された画素行Ｌ（０）の位置に対する第１画像信号を、補間処理により生成する。この場合、画素補間部１０２ｃは、図３（ｂ）に示すように出力された撮像信号のうち、所定領域Ｒｅ１に含まれる第１画像信号を抽出し、抽出した第１画像信号を用いて補間処理を行う。以下、図４を参照しながら画素補間部１０２ｃによる補間処理について説明する。なお、図４（ａ）〜（ｃ）においても、図３の場合と同様に、実線矢印は出力が加算平均されたことを示し、破線矢印は出力が加算平均されていないことを示す。
【００３０】
図４（ａ）は、図３（ｂ）に示すように出力された撮像信号のうち、所定領域Ｒｅ１（画素行Ｌ（−２）〜画素行Ｌ（３））に含まれる第１画像信号と焦点検出信号とを示す。画素補間部１０２ｃは、画素行Ｌ（−２）の第１画像信号と画素行Ｌ（２）の第１画像信号とを用いて、画素行Ｌ（０）に対応する第１画像信号を生成する。すなわち、画素補間部１０２ｃは、画素行Ｌ（−２）の第１画像信号と画素行Ｌ（２）の第１画像信号とを加算平均（同色ライン加算）して、図４（ｂ）に示すように、画素行Ｌ（０）の第１画像信号を生成する。その結果、画素行Ｌ（０）についても、Ｒ，Ｂの色情報を含む第１画像信号が生成される。なお、図４（ｂ）における画素行Ｌ（−２）、画素行Ｌ（−１）、画素行Ｌ（１）、画素行Ｌ（２）および画素行Ｌ（３）については、図４（ａ）におけるそれぞれ対応する画素行の第１画像信号と同一の信号、すなわち加算平均が行われていない第１画像信号である。
【００３１】
図４（ｂ）に示すように、所定領域Ｒｅ１内の全ての画素行Ｌ（−２）〜Ｌ（３）について第１画像信号が得られると、画素補間部１０２ｃは、画素行Ｌ（−２）〜Ｌ（３）の第１画像信号について加算平均を行う。この場合、画素補間部１０２ｃは、各画素列において同一の色情報を含む２つの画素行に対して加算平均（同色ライン加算）を行う。すなわち、画素補間部１０２ｃは、画素行Ｌ（−２）の第１画像信号と画素行Ｌ（０）の第１画像信号とを加算平均する。さらに、画素補間部１０２ｃは、同様にして、画素行Ｌ（−１）の第１画像信号と画素行Ｌ（１）の第１画像信号とを加算平均し、画素行Ｌ（２）の第１画像信号と画素行Ｌ（３）の第１画像信号とについても加算平均する。
【００３２】
上記の加算平均の結果、図４（ｃ）に示すように、図４（ｂ）に示す全ての画素行Ｌ（−２）〜Ｌ（３）の第１画像信号が生成されている場合と比べて、第１画像信号を構成する画素行の数が１／２になる。すなわち、画素行Ｌ（−１）、画素行Ｌ（０）および画素行Ｌ（３）に対応する第１画像信号が生成される。また、画素補間部１０２ｃが上述したように同色ライン加算をしていることにより、画素行Ｌ（−１）および画素行Ｌ（０）の第１画像信号に含まれる色情報については、ベイヤー配列となる。なお、画素行Ｌ（３）の第１画像信号については、後述するように、所定領域Ｒｅ１に含まれない画素行Ｌ（４）とともにベイヤー配列を構成する。
【００３３】
ライン選択部１０２ｄは、撮像素子１０１から出力された図３（ｂ）に示す第１画像信号と、画素補間部１０２ｃにより生成された図４（ｃ）に示す第１画像信号とを用いて、第２画像信号を生成する。この場合、ライン選択部１０２ｄは、図３（ｂ）に示す第１画像信号のうち、所定領域Ｒｅ１に含まれる第１画像信号と焦点検出信号とを、図４（ｃ）に示す第１画像信号を用いて置換する。その結果、図１に示すライン選択部１０２ｄにより第２画像信号が生成される。
【００３４】
図３（ｃ）に示すように、ライン選択部１０２ｄは、画素行Ｌ（−９）、画素行Ｌ（−８）、画素行Ｌ（−５）、画素行Ｌ（−４）、画素行Ｌ（−１）、画素行Ｌ（０）、画素行Ｌ（３）、画素行Ｌ（４）、画素行Ｌ（７）および画素行Ｌ（８）の第２画像信号を生成する。ここで、画素行Ｌ（−９）、画素行Ｌ（−８）、画素行Ｌ（−５）、画素行Ｌ（−４）、画素行Ｌ（４）、画素行Ｌ（７）および画素行Ｌ（８）の第２画像信号は、図３（ｂ）における第１画像信号と同一の信号である。そのため、画素行Ｌ（−９）および画素行Ｌ（−８）に含まれる第２画像信号に含まれる色情報はベイヤー配列となる。同様に、画素行Ｌ（−５）および画素行Ｌ（−４）と、画素行Ｌ（７）および画素行Ｌ（８）とについても、ベイヤー配列を構成する。
【００３５】
また、画素行Ｌ（−１）、画素行Ｌ（０）および画素行Ｌ（３）の第２画像信号は、図４（ｃ）における第１画像信号と同一の信号である。そのため、画素行Ｌ（−１）および画素行Ｌ（０）に含まれる第２画像信号に含まれる色情報はベイヤー配列となる。さらに、図３（ｃ）に示すように、画素行Ｌ（３）および画素行Ｌ（４）に含まれる第２画像信号に含まれる色情報はベイヤー配列となる。これは、以下（１）、（２）の理由によるものである。
（１）撮像素子１０１が、図３（ａ）の画素行Ｌ（３）に含まれる撮影用画素１２１の出力と画素行Ｌ（５）に含まれる撮影用画素１２１の出力とを加算平均して、図３（ｂ）に示すように画素行Ｌ（４）の第１画像信号として出力している。
（２）撮像素子１０１が、図３（ａ）の画素行Ｌ（４）に含まれる撮影用画素１２１の出力を、図３（ｂ）に示すように画素行Ｌ（３）の第１画像信号として出力している。
【００３６】
以上のようにしてライン選択部１０２ｄにより生成された第２画像信号を構成する画素行は、撮像素子１０１により全ての撮影用画素１２１から第１画像信号を出力した場合の画素行と比べて、１／２となる。そして、ライン選択部１０２ｄにより生成された第２画像信号は画像処理部１０２ｅに出力され、画像処理部１０２ｅにより各種の画像処理が施されて画像データが生成される。第２画像信号を構成する画素行が第１画像信号を構成する画素行の１／２なので、画像処理部１０２ｅによる各種の画像処理に要する処理負荷が低減されることになる。
【００３７】
以上で説明した第１の実施の形態のデジタルカメラによれば、以下の作用効果が得られる。
（１）撮像素子１０１は、複数の撮影用画素１２１が配列された画素行と、複数の焦点検出用画素１２２が配列された画素行とを有する。撮影用画素１２１は、撮影レンズＬ１を介して被写体の像を撮像して画像データ生成用の第１画像信号を出力する。焦点検出用画素１２２は、瞳分割位相差方式により撮影レンズＬ１の焦点調節状態を検出するための焦点検出信号を出力する。制御回路１０２の読出制御部１０２ｇは、撮像素子１０１から複数の画素行同士の信号を混合して出力する画素混合出力、または複数の画素行を間引いて出力する間引き出力を行う場合には、焦点検出用画素１２２が配列された画素行および当該画素行から所定領域Ｒｅ１に配置された複数の撮影用画素１２１に関しては画素混合出力および前記間引き出力を禁止するように、撮像素子１０１からの出力動作を制御するようにした。さらに、読出制御部１０２ｇは、所定領域Ｒｅ１以外に配置された複数の撮影用画素１２１に関しては画素混合出力および間引き出力を行うように、撮像素子１０１からの出力動作を制御するようにした。そして、画素補間部１０２ｃは、焦点検出用画素１２２が配列された画素行に対する第１画像信号を、所定領域Ｒｅ１内に配置された複数の撮影用画素１２１から出力された第１画像信号を用いて補間処理により生成するようにした。したがって、動画撮影に適した第１画像信号の読出しを行った場合であっても、焦点検出用画素１２２が配列された位置の画像信号を補間処理により生成できるので、画質劣化の少ない画像データを生成できる。さらに、焦点検出信号分離部１０２ａは、撮像素子１０１からの出力から焦点検出信号を抽出するので、焦点検出精度を維持することができる。また、所定領域Ｒｅ１を上記のように設定したので、補間処理により生成された第１画像信号を、所定領域Ｒｅ１以外の第１画像信号と同様に画素混合出力または間引き読出しが行われて生成された画像信号として扱うことができる。
【００３８】
（２）ライン選択部１０２ｄは、所定領域Ｒｅ１外の撮影用画素１２１から出力された第１画像信号と、所定領域Ｒｅ１内の撮影用画素１２１から出力された第１画像信号と、補間処理により生成された第１画像信号とに基づいて、１つの画像データを生成するための第２画像信号を生成するようにした。換言すると、ライン選択部１０２ｄは、撮像素子１０１から出力された画像信号のうち所定領域Ｒｅ１に対応する信号については、画素補間部１０２ｃにより補間処理にて生成された第１画像信号で置換する。したがって、ライン選択部１０２ｄにより生成された第２画像信号に対応する画像データの画質劣化を抑制することができる。
【００３９】
−第２の実施の形態−
図面を参照して、本発明による第２の実施の形態について説明する。以下の説明では、第１の実施の形態と同じ構成要素には同じ符号を付して相違点を主に説明する。特に説明しない点については、第１の実施の形態と同じである。本実施の形態では、第２出力モードにおいて焦点検出用画素が配列された位置の色情報を補間する際に、焦点検出用画素から出力された信号に含まれる輝度情報も用いる点で、第１の実施の形態と異なる。すなわち、画素補間部による補間処理が第１の実施の形態とは異なるので、画素補間部による処理を中心に説明する。
【００４０】
図５（ａ）は、撮像素子１０１から出力された後、画素補間部１０２ｃにより抽出された、所定領域Ｒｅ１（画素行Ｌ（−２）〜画素行Ｌ（３））に含まれる第１画像信号と焦点検出信号とを示す。なお、図５（ａ）は、図４（ａ）に示す第１画像信号および焦点検出信号の配列と同一である。また、図５（ａ）において、信号Ｓ１を出力する焦点検出用画像１２２Ａが配列された画素列をＣ（ｉ）（ｉは整数）、信号Ｓ２を出力する焦点検出用画素１２２Ｂが配列された画素列をＣ（ｊ）（ｊは整数、ｉ＝ｊ）と表す。第２の実施の形態の画素補間部１０２ｃは、画素行Ｌ（−２）、画素行Ｌ（−１）、画素行Ｌ（１）および画素行Ｌ（２）の第１画像信号と画素行Ｌ（０）の焦点検出信号に含まれる輝度情報とを用いて、画素行Ｌ（０）に対応する第１画像信号を補間処理により生成する。
【００４１】
図６を参照しながら、画素補間部１０２ｃによる補間処理について詳細に説明する。図６は、図５（ａ）において波線で囲んだ領域Ｚ（画素行Ｌ（−２）〜Ｌ（２）、画素列Ｃ（ｉ）およびＣ（ｊ））を拡大して示す図である。画素補間図１０２ｃは、図６（ａ）に示す、画素列Ｃ（ｉ）における第１画像信号のＲ成分（画素行Ｌ（−１）のＲｉ（−１）、画素行Ｌ（１）のＲｉ（１））と、画素列Ｃ（ｊ）における第１画像信号のＢ成分（画素行Ｌ（−２）のＢｊ（−２）、画素行Ｌ（２）のＢｊ（２））、Ｇ成分（画素行Ｌ（−１）のＧｊ（−１）、画素行Ｌ（１）のＧｊ（１））、および画素行Ｌ（０）の輝度成分（画素列Ｃ（ｉ）のＳ１ｉ、画素列Ｃ（ｊ）のＳ２ｊ）を用いて、画素行Ｌ（０）における色情報を補間して生成する。
【００４２】
画素補間部１０２ｃが、画素行Ｌ（０）、画素列Ｃ（ｉ）におけるＧ成分Ｇｉを算出する場合は、焦点検出用画素１２２Ａ、１２２Ｂの近傍のＧ成分（Ｇｊ（−１）、Ｇｊ（１））の平均に、輝度成分Ｓ１ｉ、Ｓ２ｊの加算値と近傍のＲＧＢ成分の線形和との比率を乗算する。すなわち、画素補間部１０２ｃは、以下の式（１）、（２）に示す演算を行う。なお、以下の式におけるＫ１〜Ｋ４は任意の係数である。
Ｇｉ＝｛（Ｇｊ（−１）＋Ｇｊ（１））／２｝×｛Ｋ１・（Ｓ１ｉ＋Ｓ２ｊ）／Ｗｉｇ｝・・・（１）
Ｗｉｇ＝Ｋ２・（Ｒｉ（−１）＋Ｒｉ（１））＋Ｋ３・（Ｇｊ（−１）＋Ｇｊ（１））
＋Ｋ４・（Ｂｊ（−２）＋Ｂｊ（２））  ・・・（２）
【００４３】
式（２）におけるＷｉｇは、焦点検出用画素１２２Ａ、１２２Ｂの近傍に配列された６つの撮影用画素１２１の第１画像信号に含まれる色情報を用いて、白色成分の色情報を算出することを表す。式（１）の第２項に示す｛Ｋ１・（Ｓ１ｉ＋Ｓ２ｊ）／Ｗｉｇ｝は、上記の近傍に配列された６つの撮影用画素１２１の出力に基づいた白色成分に対する、焦点検出用画素１２２Ａ、１２２Ｂの出力Ｓ１ｉ、Ｓ２ｊの割合を示す。すなわち、焦点検出用画素１２２Ａ、１２２Ｂの出力Ｓ１ｉ、Ｓ２ｊが近傍の出力に対して、どの程度高い（または低い）のかを示している。
【００４４】
また、画素補間部１０２ｃは、Ｇ成分Ｇｉを算出した場合と同様に、以下の式（３）、（４）を用いて、画素行Ｌ（０）、画素列Ｃ（ｊ）におけるＢ成分Ｂｊを算出する。なお、以下の式におけるＫ５〜Ｋ８は任意の係数である。
Ｂｊ＝｛（Ｂｊ（−２）＋Ｂｊ（２））／２｝×｛Ｋ５・（Ｓ１ｉ＋Ｓ２ｊ）／Ｗｉｂ｝・・・（３）
Ｗｉｂ＝Ｋ６・（Ｒｉ（−１）＋Ｒｉ（１））＋Ｋ７・（Ｇｊ（−１）＋Ｇｊ（１））
＋Ｋ８・（Ｂｊ（−２）＋Ｂｊ（２））  ・・・（４）
【００４５】
図６（ｂ）に示すように、画素補間部１０２ｃの上記の補間処理により、領域Ｚ内の画素行Ｌ（０）について、Ｇ，Ｂの色情報を含む第１画像信号が生成される。画素補間部１２０ｃは、領域Ｚ内で行った補間処理を、所定領域Ｒｅ１に含まれる全ての画素列方向に対して行う。その結果、図５（ｂ）に示すように、所定領域Ｒｅ１における画素行Ｌ（０）についてＧ，Ｂの色情報を含む第１画像信号が生成される。すなわち、所定領域Ｒｅ１に配列された全ての画素（撮影用画素１２１、焦点検出用画素１２２）に対応する出力が第１画像信号により表される。なお、図５（ｂ）に示す第１画像信号の配列は、図４（ｂ）に示す第１画像信号の配列と同一となる。
【００４６】
以後、画素補間部１０２ｃは、第１の実施の形態の場合と同様にして、画素行Ｌ（−２）〜Ｌ（３）の第１画像信号について加算平均を行う。この場合も、画素補間部１０２ｃは、画素行Ｌ（−２）の第１画像信号と画素行Ｌ（０）の第１画像信号とを加算平均（同色ライン加算）する。さらに、画素補間部１０２ｃは、同様にして、画素行Ｌ（−１）の第１画像信号および画素行Ｌ（１）の第１画像信号と、画素行Ｌ（２）の第１画像信号および画素行Ｌ（３）の第１画像信号とについても加算平均する。その結果、図５（ｃ）に示すように、画素行Ｌ（−１）、画素行Ｌ（０）および画素行Ｌ（３）に対応する第１画像信号が生成される。図５（ｃ）に示す第１画像信号の配列は、図４（ｃ）に示す第１画像信号の配列と同様である。
【００４７】
以上で説明した第２の実施の形態のデジタルカメラによれば、第１の実施の形態により得られる作用効果に加えて、以下の作用効果が得られる。
画素補間部１０２ｃは、所定領域Ｒｅ１に含まれる撮影用画素１２１から出力された第１画像信号と、焦点検出用画素１２２から出力された焦点検出信号とを用いて、焦点検出用画素１２２が配列された箇所の第１画像信号を補間するようにした。したがって、焦点検出用画素１２２に入射する光量を加味した補間処理を行えるので、生成した画像データの画質を向上させることができる。
【００４８】
−第３の実施の形態−
図面を参照して、本発明による第３の実施の形態について説明する。以下の説明では、第１または第２の実施の形態と同じ構成要素には同じ符号を付して相違点を主に説明する。特に説明しない点については、第１、第２の実施の形態と同じである。本実施の形態では、以下の点で第１、第２の実施の形態と異なる。
（１）動画撮影モードにおいて生成された画像データの記録画素数を複数の記録画素モード（高解像度記録モード、低解像度記録モード等）のうちからユーザにより設定可能な構成とする。
（２）ユーザにより設定された記録画素モードに応じて、撮像素子１０１は所定領域Ｒｅ１以外の画素行に含まれる撮影用画素１２１について、撮影用画素１２１から出力された第１画像信号を加算平均する際の画素行の行数を変更する。
（３）ユーザにより設定された記録画素モードに応じて、撮像素子１０１は、所定領域Ｒｅ１の範囲を変更する。
【００４９】
本実施の形態の液晶表示器１４に表示されるメニュー画面からユーザにより設定可能な内容として、動画撮影モード時における撮影画像の記録画素数を設定するための記録画素モードがある。記録画素モードは、たとえば高解像度記録モード、低解像度記録モードなどのモードを含む。そして、デジタルカメラ１は、ユーザにより設定された記録画素モードを記録画素数に関する設定情報として受け付けると、設定情報の記録画素数に応じて、高解像度モードと低解像度記録モードとを切り替えて動作する。以下、ユーザによって、高解像度記録モードが設定された場合と、低解像度記録モードが設定された場合とに分けて説明する。
【００５０】
（１）高解像度記録モード
ユーザにより高解像度記録モードが設定されると、読出制御部１０２ｇは、撮像素子１０１に高解像度で撮像信号を出力させるための第１出力指示信号を出力する。撮像素子１０１は、第１出力指示信号を入力すると、第２の実施の形態と同様にして撮像信号を出力する。すなわち、撮像素子１０１は、図３に示すように、画素行Ｌ（−２）〜画素行Ｌ（３）を所定領域Ｒｅ１として設定する。
【００５１】
撮像素子１０１は、所定領域Ｒｅ１内の全ての画素行に含まれる撮影用画素１２１および焦点検出用画素１２２からの出力を、それぞれ第１画像信号および焦点検出用信号として制御回路１０２へ出力する。また、撮像素子１０１は、所定領域Ｒｅ１以外の画素行に含まれる撮影用画素１２１からの出力については、同一の色情報を有する２つの画素行について加算平均（同色ライン加算）してから、第１画像信号として制御回路１０２へ出力する。なお、撮像素子１０１は、所定の画素行間隔で第１画像信号を出力する間引き読み出しを行ってもよい。以下、撮像素子１０１から出力された第１画像信号に対する、画素補間部１０２ｃおよびライン選択部１０２ｄによる処理は、第２の実施の形態による画素補間部１０２ｃおよびライン選択部１０２ｄの処理と同一の処理を行うので、説明を省略する。なお、画素補間部１０２ｃは、第１の実施の形態における画素補間部１０２ｃと同様に処理により補間処理を行ってもよい。
【００５２】
（２）低解像度記録モード
ユーザにより低解像度記録モードが設定されると、読出制御部１０２ｇは、撮像素子１０１に低解像度で撮像信号を出力させるための第２出力指示信号を出力する。図７に示すように、撮像素子１０１は、第２出力指示信号を入力すると、所定領域Ｒｅ１を画素行Ｌ（−４）〜画素行Ｌ（３）に設定する。すなわち、撮像素子１０１は、高解像度記録モードが設定されている場合よりも、所定領域Ｒｅ１の範囲を拡大する。なお、図７（ａ）は、図３（ａ）の場合と同様に、撮影用画素１２１および焦点検出用画素１２２から出力された信号を示す。図７（ａ）は、全ての撮影用画素１２１および焦点検出用画素１２２からの出力のうち、図２（ａ）の破線で囲まれた領域Ｙに含まれる撮影用画素１２１および焦点検出用画素１２２からの出力を代表して表すものである。
【００５３】
低解像度記録モードが設定された場合、撮像素子１０１は、所定領域Ｒｅ１以外に配列された撮影用画素１２１の出力については、各画素列において同一の色情報を出力する撮影用画素１２１を含む４つの画素行に対して加算平均（同色ライン加算）を行う。図７（ａ）に示すように、撮像素子１０１は、画素行Ｌ（−１２）、画素行Ｌ（−１０）、画素行Ｌ（−８）および画素行Ｌ（−６）に含まれる撮影用画素１２１の出力同士を加算平均する。撮像素子１０１は、同様の加算平均を画素行Ｌ（−１１）、画素行Ｌ（−９）、画素行Ｌ（−７）および画素行Ｌ（−５）に含まれる撮影用画素１２１の出力同士、画素行Ｌ（５）、画素行Ｌ（７）、画素行Ｌ（９）および画素行Ｌ（１１）に含まれる撮影用画素１２１の出力同士、画素行Ｌ（６）、画素行Ｌ（８）、画素行Ｌ（１０）および画素行Ｌ（１２）に含まれる撮影用画素１２１の出力同士についても行う。その結果、図７（ｂ）に示すような第１画像信号が撮像素子１０１から出力される。なお、撮像素子１０１が、３画素行間隔で２画素行ずつ第１画像信号を出力する間引き読み出しを行うものでもよい。
【００５４】
図７（ｂ）に示すように、所定領域Ｒｅ１以外では、加算平均によって、全ての撮影用画素１２１から第１画像信号を出力した場合と比べて、第１画像信号を構成する画素行の数が１／４になる。すなわち、画素行Ｌ（−９）、画素行Ｌ（−８）、画素行Ｌ（７）および画素行Ｌ（８）に対応する第１画像信号が撮像素子１０１により出力される。なお、撮像素子１０１が上述したように同色ライン加算をしていることにより、画素行Ｌ（−９）および画素行Ｌ（−８）の第１画像信号と、画素行Ｌ（７）および画素行Ｌ（８）の第１画像信号とについては、それぞれベイヤー配列となる。また、撮像素子１０１は、所定領域Ｒｅ１（画素行Ｌ（−４）〜画素行Ｌ（３））の撮影用画素１２１からの出力を第１画像信号として出力する。すなわち、所定領域Ｒｅ１に含まれる全ての撮影用画素１２１から第１画像信号が出力される。
【００５５】
画素補間部１０２ｃは、焦点検出用画素１２２が配列された画素行Ｌ（０）の位置に対する第１画像信号を、補間処理により生成する。この場合、画素補間部１０２ｃは、図７（ｂ）に示すように出力された撮像信号のうち、所定領域Ｒｅ１に含まれる第１画像信号を抽出し、抽出した第１画像信号を用いて補間処理を行う。以下、図８を参照しながら画素補間部１０２ｃによる補間処理について説明する。
【００５６】
図８（ａ）は、撮像素子１０１から出力された後、画素補間部１０２ｃにより抽出された、所定領域Ｒｅ１（画素行Ｌ（−４）〜画素行Ｌ（３））に含まれる第１画像信号と焦点検出信号とを示す。なお、図８（ａ）においても、図５（ａ）の場合と同様に、信号Ｓ１を出力する焦点検出用画像１２２Ａが配列された画素列をＣ（ｉ）（ｉは整数）、信号Ｓ２を出力する焦点検出用画素１２２Ｂが配列された画素列をＣ（ｊ）（ｊは整数、ｉ＝ｊ）と表す。
【００５７】
画素補間部１０２ｃは、第２の実施の形態の場合と同様にして、図８（ａ）の波線で囲んだ領域Ｚ内において、上述した式（１）〜（４）を用いて、画素行Ｌ（０）、画素列Ｃ（ｉ）におけるＧ成分Ｇｉと、画素行Ｌ（０）、画素列Ｃ（ｊ）におけるＢ成分Ｂｊとを算出する。そして、画素補間部１２０ｃは、領域Ｚ内で行った補間処理を、所定領域Ｒｅ１に含まれる全ての画素列方向に対して行う。その結果、図８（ｂ）に示すように、所定領域Ｒｅ１における画素行Ｌ（０）についてＧ，Ｂの色情報を含む第１画像信号が生成される。
【００５８】
図８（ｂ）に示すように、所定領域Ｒｅ１内の全ての画素行Ｌ（−４）〜Ｌ（３）について第１画像信号が得られると、画素補間部１０２ｃは、画素行Ｌ（−４）〜Ｌ（３）の第１画像信号について加算平均を行う。この場合、画素補間部１０２ｃは、各画素列において同一の色情報を含む４つの画素行に対して加算平均（同色ライン加算）を行う。すなわち、画素補間部１０２ｃは、画素行Ｌ（−４）、画素行Ｌ（−２）、画素行Ｌ（０）および画素行Ｌ（２）の第１画像信号を加算平均する。さらに、画素補間部１０２ｃは、同様にして、画素行Ｌ（−３）、画素行Ｌ（−１）、画素行Ｌ（１）および画素行Ｌ（３）の第１画像信号についても加算平均する。上記の加算平均の結果、図８（ｃ）に示すように、画素行Ｌ（−１）および画素行Ｌ（０）に対応する第１画像信号が生成される。また、画素補間部１０２ｃが上述したように同色ライン加算をしていることにより、画素行Ｌ（−１）および画素行Ｌ（０）の第１画像信号に含まれる色情報については、ベイヤー配列となる。
【００５９】
ライン選択部１０２ｄは、撮像素子１０１から出力された図７（ｂ）に示す第１画像信号と、画素補間部１０２ｃにより生成された図８（ｃ）に示す第１画像信号とを用いて、第２画像信号を生成する。この場合、画素補間部１０２ｃは、図７（ｂ）に示す第１画像信号のうち、所定領域Ｒｅ１に含まれる第１画像信号と焦点検出信号とを、図８（ｃ）に示す第１画像信号を用いて置換する。その結果、図７（ｃ）に示す第２画像信号がライン選択部１０２ｄにより生成される。以上のようにしてライン選択部１０２ｄにより生成された第２画像信号を構成する画素行は、撮像素子１０１により全ての撮影用画素１２１から第１画像信号を出力した場合の画素行と比べて、１／４となる。
【００６０】
以上で説明した第３の実施の形態のデジタルカメラ１によれば、第１および第２の実施の形態によるデジタルカメラ１で得られる作用効果に加えて、以下の作用効果が得られる。
操作部１０６は、画像データ生成用の第２画像信号をメモリカード１０８に記録する際の記録画素数に関する設定情報の設定操作を受け付け、読出制御部１０２ｇは、設定情報の記録画素数に応じて、所定領域Ｒｅ１の大きさを変更制御するようにした。したがって、記録画素数に応じて加算平均を行う画素行の数を変更させた場合であっても、所定領域Ｒｅ１の大きさを変更して焦点検出用画素１２２の配列位置に対応する画像信号を補間処理で生成するので、画質の劣化を抑制できる。
【００６１】
以上で説明した第３の実施の形態のデジタルカメラ１を、以下のように変形できる。
（１）静止画撮影モードが設定された場合であっても、ユーザにより設定された解像度に応じて、読出制御部１０２ｇは、所定領域Ｒｅ１の大きさを変更するとともに、所定領域Ｒｅ１以外の撮影用画素１２１から出力された第１画像信号を加算平均する際の画素行の行数を変更ようにしてもよい。静止画撮影モードにおいては、たとえば高解像度記録モード、中解像度記録モードおよび低解像度記録モードのうちユーザが所望するモードが設定可能に構成されている。
【００６２】
中解像度記録モードが設定された場合には、第３の実施の形態において高解像度記録モードとして説明した処理が可能となるように、読出制御部１０２ｇは、撮像素子１０１に第１出力指示信号を出力する。そして、画素補間部１０２ｃおよびライン選択部１０２ｄは、第３の実施の形態における高解像度記録モードと同様の処理を行って第２画像信号を生成する。低解像度記録モードが設定された場合には、第３の実施の形態において低解像度記録モードとして説明した処理が可能となるように、読出制御部１０２ｇは、撮像素子１０１に第２出力指示信号を出力する。そして、画素補間部１０２ｃおよびライン選択部１０２ｄは、第３の実施の形態における低解像度記録モードと同様の処理を行って第２画像信号を生成する。
【００６３】
（２）静止画撮影モードにおいて、連写撮影が行われる場合には、設定された連続撮影速度に応じて、読出制御部１０２ｇは、上記の高解像度記録モードと低解像度記録モードとを切り替えて設定してもよい。
【００６４】
第１〜第３の実施の形態のデジタルカメラ１を、以下のように変形できる。
（１）上記の各実施の形態においては、焦点検出用画素１２２は、撮像素子１０１の画素行方向に端部から端部まで延在するものとして図示および説明を行ってきたが、画素行方向に一部分のみ配列されるものであってもよい。また、焦点検出用画素１２２は画素列方向に配列されるものであってもよい。
【００６５】
（２）画素補間部１０２ｃは、焦点検出用画素１２２の最近傍に配列された同色の画素行を構成する撮影用画素１２１から出力された第１画像信号を加算平均するものに代えて、被写体の特徴に応じて配列された撮影用画素１２１から出力された第１画像信号を用いて補間処理を行ってもよい。たとえば、図９に示すように撮影画面の下部から上部にかけて斜め形状を有する被写体Ｓが撮影されたものとする。この場合、画素補間部１０２ｃは、撮影用画素１２１から出力された第１画像信号を用いて、被写体Ｓの斜め形状（特徴）を抽出する。そして、画素補間部１０２ｃは、焦点検出用画素１２２の近傍であって、かつ被写体Ｓの形状とほぼ同方向に配列された同色のカラーフィルタが設けられた撮影用画素１２１から出力された第１画像信号を用いて補間処理を行う。すなわち、画素補間部１０２ｃは、図９の焦点検出用画素１２２ａの位置を補間する場合には、撮影用画素１２１ａおよび１２１ｂから出力された第１画像信号を用い、焦点検出用画素１２２ｂの位置を補間する場合には、撮影用画素１２１ｃおよび１２１ｄから出力された第１画像信号を用いればよい。
【００６６】
（３）動画撮影モードが設定された場合に加えて、ライブビューモードが設定された場合においても、制御回路１０２は上述した処理を行うようにしてもよい。
【００６７】
また、本発明の特徴を損なわない限り、本発明は上記実施の形態に限定されるものではなく、本発明の技術的思想の範囲内で考えられるその他の形態についても、本発明の範囲内に含まれる。説明に用いた実施の形態および変形例は、それぞれを適宜組合わせて構成しても構わない。
【符号の説明】
【００６８】
１０１  撮像素子、  １０２  制御回路、
１０２ｃ  画素補間部、  １０２ｄ  ライン選択部、
１０２ｇ  読出制御部、  １０６  操作部、
１２１  撮影用画素、  １２２  焦点検出用画素
【図１】
0005585200.tif 000002
【図２】
0005585200.tif 000003
【図３】
0005585200.tif 000004
【図４】
0005585200.tif 000005
【図５】
0005585200.tif 000006
【図６】
0005585200.tif 000007
【図７】
0005585200.tif 000008
【図８】
0005585200.tif 000009
【図９】
0005585200.tif 000010